(57)【要約】【課題】蛍光灯器具から取り外して携帯可能なＬＥＤ照明装置を得る。【解決手段】  交流電源で点灯する蛍光灯器具に接続できる口金１と、この口金１を両端に有し断面略円形状の管体２と、この管体２の内部に複数のＬＥＤ４を実装するプリント基板５と、上記管体１内に設置された停電を検知する停電検知手段２９と、この停電検知手段２９に応じて上記ＬＥＤ４を点灯させる上記管体２に内臓する直流電源２８と、上記蛍光灯器具から上記管体２を取り外したとき上記直流電源２８により上記ＬＥＤ４を点灯させる制御回路６とを備えたＬＥＤ照明装置。【選択図】図４
2009105020.tif 000002
【特許請求の範囲】
【請求項１】
交流電源で点灯する蛍光灯器具に接続できる口金と、この口金を両端に有し断面略円形状の管体と、この管体の内部に複数のＬＥＤを実装するプリント基板と、上記管体内に設置された停電を検知する停電検知手段と、この停電検知手段に応じて上記ＬＥＤを点灯させる上記管体に内臓する直流電源と、上記蛍光灯器具から上記管体を取り外したとき上記直流電源により上記ＬＥＤを点灯させる制御回路とを備えたことを特徴とするＬＥＤ照明装置。
【請求項２】
交流電源で点灯する蛍光灯器具に接続できる口金と、この口金を両端に有し断面略円形状の管体と、この管体の内部に複数のＬＥＤを実装するプリント基板と、上記管体内に設置された停電を検知する停電検知手段と、この停電検知手段に応じて上記ＬＥＤを点灯させる上記管体に内臓する直流電源と、上記管体に振動素子を設け上記蛍光灯器具から上記管体を取り外したとき上記直流電源により誘導音を発生する誘導音発生手段とを備えたことを特徴とするＬＥＤ照明装置。
【請求項３】
ＬＥＤの点灯が非常口方向に流れるように点滅させたことを特徴とする請求項１記載のＬＥＤ照明装置。
【請求項４】
誘導音が非常口に近いほど大きな音であることを特徴とする請求項２記載のＬＥＤ照明装置。
【発明の詳細な説明】
【技術分野】
【０００１】  本発明は停電時など非常時に適用するＬＥＤ照明装置に関する。
【背景技術】
【０００２】  従来、帯板状のプリント基板に多数の発光ダイオード（ＬＥＤ）を配列し、管状のバルブ内に配設して、従来の蛍光灯と同様な形状にした装飾ランプがある（特許文献１）。【０００３】  しかし、このような従来の装飾ランプでは、通常の照明用に用い、さらに停電時など非常用に対応できる機能を有しておらず、緊急事態に十分に対処できるＬＥＤ照明装置ではなかった。【０００４】  また、従来のＬＥＤ照明装置自体を蛍光灯照明器具から取り外ずしても点灯させることができなかった（特許文献２）。
さらに、誘導音をＬＥＤ照明装置から発するようなものではなかった。
【特許文献１】実開昭６１−１１２３９２号公報
【特許文献２】特開平９−６３３２５号公報
【発明の開示】
【発明が解決しようとする課題】
【０００５】  本発明に係るＬＥＤ照明装置は、上述のような欠点を解消するためなされたものであり、通常の照明用に使用できると共に停電時には誘導灯になり、しかも照明器具から取り外すせばそのまま携帯用の光源となるＬＥＤ照明装置を提供するものである。
【課題を解決するための手段】
【０００６】  本発明に係るＬＥＤ照明装置は、交流電源で点灯する蛍光灯器具に接続できる口金と、この口金を両端に有し断面略円形状の管体と、この管体の内部に複数のＬＥＤを実装するプリント基板と、上記管体内に設置された停電を検知する停電検知手段と、この停電検知手段に応じて上記ＬＥＤを点灯させる上記管体に内臓する直流電源と、上記蛍光灯器具から上記管体を取り外したとき上記直流電源により上記ＬＥＤを点灯させる制御回路とを備えた。【０００７】  本発明に係るＬＥＤ照明装置は、交流電源で点灯する蛍光灯器具に接続できる口金と、この口金を両端に有し断面略円形状の管体と、この管体の内部に複数のＬＥＤを実装するプリント基板と、上記管体内に設置された停電を検知する停電検知手段と、この停電検知手段に応じて上記ＬＥＤを点灯させる上記管体に内臓する直流電源と、上記管体に振動素子を設け上記蛍光灯器具から上記管体を取り外したとき上記直流電源により誘導音を発生する誘導音発生手段とを備えた。【０００８】  本発明に係るＬＥＤ照明装置は、ＬＥＤの点灯が非常口方向に流れるように点滅させたことを特徴とする。【０００９】  本発明に係るＬＥＤ照明装置は、誘導音が非常口に近いほど大きな音であることを特徴とする。
【発明の効果】
【００１０】  本発明に係るＬＥＤ照明装置によれば、通常の照明用に用いると共に、停電時にはＬＥＤ照明装置を取り外して避難するため持ち運ぶことによって、停電時の真っ暗な部屋やオフィスであっても携帯用の懐中電灯として使用することができる。【００１１】  また、避難路の方向を明示するため、ＬＥＤ照明装置が流れるように動画表示することができる。【００１２】さらに、本発明に係るＬＥＤ照明装置には誘導音発生手段が付設されており、弱視者や盲人のため誘導音を発生して、ＬＥＤ照明装置の所在を示したり、避難中に誘導音が発せられるので居場所を報知することができる。
【発明を実施するための最良の形態】
【００１３】  通常の蛍光灯器具に接続できる口金を有し、管体内にＬＥＤを点灯する制御回路や直流電源を内蔵したＬＥＤ照明装置とすることが好ましい。
【実施例１】
【００１４】    図１はこの発明に係るＬＥＤ照明装置の斜視図である。図１において、１は従来の蛍光灯と同様な寸法の口金、２はたとえば１〜２ｍほどの長いポリカーボネート製の管体、３は管体２を支持する断面略工字形状のブロックであり、必須のものではない。【００１５】  図２は図１のＩＩ−ＩＩ線断面図である。
図２において、４は複数個のＬＥＤ、５はＬＥＤ４が配設されたプリント基板、６はプリント基板５に組み込まれた制御回路である。【００１６】  口金１の端子には、通常の交流電源から電圧が印加され、プリント基板５に形成された全波整流回路により全波整流され、直列に接続された多数のＬＥＤ４に所定の電流を流し、各ＬＥＤ４を等輝度に点灯させる。【００１７】  図３はこのＬＥＤ照明装置を廊下に配置した状況を示す斜視図である。
図３において、１０は廊下の手の届く位置に複数個配置されたＬＥＤ照明装置、１１は非常口である。
図４はＬＥＤ照明装置の側面図である。４は複数個のＬＥＤ、５はＬＥＤ４が配設されたプリント基板、６はプリント基板５に組み込まれた制御回路である。【００１８】  次に実施例１の作用について説明する。
定常時には交流電源から供給された電源により、ＬＥＤは点灯している。しかし、コンセントのスイッチはＯＮのままで、停電のため交流電源の供給が無くなるので、停電検知手段が動作し、停電と判断し、ＬＥＤを点灯させることができる。【００１９】  この実施例１によれば、従来の蛍光灯に置き換えて使用することができ、すでに設置されている非常用蛍光灯器具の設備を使用して非常用のＬＥＤ照明装置を実現することができる。
しかし、本発明の実施例では、人の手の届くような位置たとえば壁際や廊下隅、非常口などに配置することが好ましい。停電時にはこのＬＥＤ照明装置は管体に内臓する直流電源により点灯する。【００２０】  図５は実施例１の動作を説明するための回路図である。図５を用いて実施例１の回路動作を説明する。図５において、２０は外部から供給される交流電源、２１は通常の点灯用のＯＮ、ＯＦＦスイッチ、２２はＬＥＤ照明装置の口金１の端子、２３は全波整流回路、２４は複数のＬＥＤ、２５はＬＥＤ照明装置を照明器具から取り外した時をＯＮとなるスイッチ、２６はワンチップマイコンを含む制御回路、２７は逆流防止のダイオード、２８は管体に内臓の直流電源、２９は停電検知手段、３０は停電検知手段２９でＯＦＦとなるスイッチである。【００２１】  この実施例１の回路図において、ＬＥＤ照明装置を蛍光灯器具から取り外したとき、スイッチ２５が入り、直流電源２８から供給された電源により複数のＬＥＤ２４が発光する。
避難方向に流れるように発光させるにはあらかじめ制御回路２６とプリント基板の接続パターンを構成することにより方向性を持たせた点滅が可能となる。このような構成にすれば避難用には好ましいことである。【００２２】  この実施例１のような構成によれば、停電時暗くなった部屋や廊下でも、非常灯が避難方向を示してくれるので避難口を容易に見つけることができる利点がある。またこれを蛍光灯器具から取り外しても、内臓の直流電源により複数のＬＥＤを点灯させることができる。
【実施例２】
【００２３】  図６は実施例２に係る誘導音の発生手段を有するＬＥＤ照明装置の正面図である。
図６において、４０は誘導音発生回路、４１は管体に設置された振動素子であるピエゾ素子、４２は複数のＬＥＤである。【００２４】  この図６の構成において、実施例１の作用と同様に停電時には点灯することができ、ＬＥＤ照明装置を蛍光灯器具から取り外すとスイッチが入り、誘導音発生手段４０が駆動して、ピエゾ素子４１を振動させ、それが管体を振動させて大きな音を発生させ、停電時、警告音を発生して、異常を知らせる．【００２５】  音にも方向性を持たせることもでき、例えば、非常口に近いほど大きな音が発生するように構成するとか、非常口方向に音が流れるように点滅と同様に構成することが好ましい。
また、このような停電検知の機能を付けたものを示したが、明暗センサーや人感センサーなどを併設しても良く、より多機能なＬＥＤ照明装置とすることが可能である。
【産業上の利用可能性】
【００２６】  本発明に係るＬＥＤ照明装置はいままで蛍光灯が設置されたところにＬＥＤ照明装置を置き換えるのみで、ビルの管理産業の発展にも大いに役立つ。
【図面の簡単な説明】
【００２７】
【図１】実施例１に係るＬＥＤ照明装置の斜視図である。
【図２】実施例１に係るＬＥＤ照明装置の断面図である。
【図３】実施例１に係るＬＥＤ照明装置を設置したときの正面図である。
【図４】実施例１に係るＬＥＤ照明装置の側面図である。
【図５】実施例１に係るＬＥＤ照明装置の回路図である。
【図６】実施例２に係るＬＥＤ照明装置の側面図である。
【符号の説明】
【００２８】１  口金
２  管体
３  ブロック
４  ＬＥＤ
５  プリント基板
６  制御回路
１０  ＬＥＤ
１１  非常口
２０  交流電源
２１  スイッチ
２２  口金
２３  全波整流回路
２４  ＬＥＤ
２６  制御回路
２９  停電検知手段
４０  誘導音発生回路
４１  ピエゾ素子
４２  ＬＥＤ
【図１】
2009105020.tif 000003
【図２】
2009105020.tif 000004
【図３】
2009105020.tif 000005
【図４】
2009105020.tif 000006
【図５】
2009105020.tif 000007
【図６】
2009105020.tif 000008